(57)【要約】      （修正有）【課題】様々なポーズを取る玩具であってもかかるポーズを安定した状態で保持することが可能な玩具支持台のアーム部を提供する。【解決手段】アーム部が、玩具を直接又は間接的に握持・抱持の如き手段で支持することで展示状態を保持する保持部と、支持台座に形成されたアーム部用穿孔に嵌合する基軸部を有する取付部と、取付部から保持部へと延伸するアーム部本体である腕部と、を有する。保持部と腕部との接続部分と、取付部と腕部との接続部分の各々に間欠回動可能な関節部が配設されており、関節部が、外周面に凹凸が形成された回動軸と、回動軸が嵌合挿通されると共に内周面に凹凸が形成された軸挿通部と、を有して構成されている。【選択図】図１
0003154322.tif 000002
【実用新案登録請求の範囲】
【請求項１】
支持台座に立設して玩具を支持状態で飾る玩具支持台のアーム部において、
前記アーム部が、前記玩具を直接又は間接的に握持・抱持の如き手段で支持することで展示状態を保持する保持部と、前記支持台座に形成されたアーム部用穿孔に嵌合する基軸部を有する取付部と、前記取付部から保持部へと延伸するアーム部本体である腕部と、を有して成り、
前記保持部と腕部との接続部分と、前記取付部と腕部との接続部分の各々に間欠回動可能な関節部が配設されており、
該関節部が、外周面に凹凸が形成された回動軸と、該回動軸が嵌合挿通されると共に内周面に凹凸が形成された軸挿通部と、を有して構成されていることを特徴とする玩具支持台のアーム部。
【請求項２】
前記腕部の中間部分に、間欠回動可能な関節部が少なくとも１つ配設されており、
該関節部が、外周面に凹凸が形成された回動軸と、該回動軸が嵌合挿通されると共に内周面に凹凸が形成された軸挿通部と、を有して構成されていることを特徴とする請求項１に記載の玩具支持台のアーム部。
【請求項３】
前記保持部が、玩具を握持又は抱持する２本の指状部材から成る保持アーム部と、該２本の指状部材の重合する付け根部に設けられることで該２本の指状部材の拡開動作及び閉鎖動作が可能な開閉関節部と、を有して成り、
該開閉関節部が、外周面に凹凸が形成された回動軸と、前記２本の指状部材の重合する付け根部の各々に形成されて前記回動軸が嵌合挿通されると共に内周面に凹凸が形成された軸挿通部と、を有して構成されていることを特徴とする請求項１又は２に記載の玩具支持台のアーム部。
【請求項４】
前記腕部が、延伸方向に分割接合線を有する２分割体から成る構成を有し、該２分割体の各々の内部の少なくとも一部が空洞であることを特徴とする請求項１〜３のいずれかに記載の玩具支持台のアーム部。
【請求項５】
前記支持台座が、一定肉厚の方形状本体と、該方形状本体の両端部各々に接続された正方形接続部と、を有し、
該正方形接続部の一方は、上面側が除かれ、前記方形状本体の肉厚の半分の肉厚を有する上半截接続部であり、
該正方形接続部の他方は、下面側が除かれ、前記方形状本体の肉厚の半分の肉厚を有する下半截接続部であり、
前記方形状本体には、少なくとも１つのアーム部用穿孔が設けてあり、
前記上半截接続部及び下半截接続部には各１つのアーム部用穿孔が設けてあり、
且つ該上半截接続部のアーム部用穿孔の周囲には凹部又は凸部が設けてあり、該下半截接続部のアーム部用穿孔の周囲には、前記上半截接続部の凹部又は凸部に嵌合する凸部又は凹部が設けてあり、
縦・横いずれの方向にも接続し連結可能とした構成を有することを特徴とする請求項１〜４のいずれかに記載の玩具支持台のアーム部。
【請求項６】
前記支持台座と同梱又は別梱で２種類の転倒防止用補助台座が用意されており、
該２種類の内の一方である第１転倒防止用補助台座は、前記支持台座の上半截接続部に接続可能な第１半截接続部と、該第１半截接続部に連接され該第１半截接続部の側方方向に延伸する第１転倒防止片部と、を有し、
該２種類の内の他方である第２転倒防止用補助台座は、前記支持台座の下半截接続部に接続可能な第２半截接続部と、該第２半截接続部に連接され該第２半截接続部の側方方向に延伸する第２転倒防止片部と、を有し、
前記第１半截接続部には前記上半截接続部のアーム部用穿孔と一致する位置にアーム部用穿孔が設けてあり、
且つ該第１半截接続部のアーム部用穿孔の周囲には、前記上半截接続部の凹部又は凸部に嵌合する凸部又は凹部が設けてあり、
前記第２半截接続部には前記下半截接続部のアーム部用穿孔と一致する位置にアーム部用穿孔が設けてあり、
且つ該第２半截接続部のアーム部用穿孔の周囲には、前記下半截接続部の凸部又は凹部に嵌合する凹部又は凸部が設けてあり、
該２種類の転倒防止用補助台座の少なくとも一方を支持台座に接続した際に該支持台座の側方に転倒防止片部が延びることで該支持台座の転倒を防止する構成であることを特徴とする請求項６に記載の玩具支持台のアーム部。
【請求項７】
前記アーム部が複数用意され、１つ又は複数の支持台座に立設して複数の玩具を飾ることが可能な構成であることを特徴とする請求項１〜６のいずれかに記載の玩具支持台のアーム部。
【考案の詳細な説明】
【技術分野】
【０００１】
本考案は玩具支持台のアーム部に関し、詳しくは玩具支持台に人形・動物・乗り物類等の玩具を支持状態で飾るためのアーム部に関する。
【背景技術】
【０００２】
支持台座に立設したアーム部によって人形等の玩具を支持状態で飾る玩具支持台がこれまで多種多様に提案されている（例えば、特許文献１〜３等参照）。
【０００３】
特許文献１に記載の技術は、板状の支持台座に１本の逆Ｌ字形の支柱が立設されて、この支柱先端の逆Ｌ字の水平軸部を玩具背面に突き刺すことで支持するものである。
【０００４】
しかし特許文献１に記載の技術では、支持高さや位置等の展示形態が一形態に固定された支持であるため、動きのある玩具（例えば、関節動可能な構成を有して様々なポーズが可能な人形等）の展示では興趣性に著しく欠けるという欠点を有している。
【０００５】
この点、特許文献２又は３には、支柱ではなく関節部を有するアーム部によって玩具を支持することができる技術が記載されている。
【０００６】
しかし特許文献２又は３に記載の技術では、関節部がボールジョイント構成であることからアーム部の関節部の固定位置の保持はボールジョイントの摩擦のみに頼っているため、支持する人形の重量や支持する際のポーズ等によっては関節部にかかる荷重が大きい場合には玩具を支えられなかったりポーズを安定した状態で保持することができないという問題点を有している。更に、関節部のボールジョイント構成が繰り返し使用による磨耗によって固定位置の保持力が著しく低下してしまうという問題点を有している。
【先行技術文献】
【特許文献】
【０００７】
【特許文献１】特開２００２−３５５４４７号
【特許文献２】登録実用新案第３０５８７３４号
【特許文献３】特開２００７−１１１３４４号
【考案の概要】
【考案が解決しようとする課題】
【０００８】
そこで本考案の課題は、様々なポーズを取る玩具であってもかかるポーズを安定した状態で保持することが可能な玩具支持台のアーム部を提供することにある。
【課題を解決するための手段】
【０００９】
上記課題を解決する本考案は下記構成を有する。
【００１０】
１．支持台座に立設して玩具を支持状態で飾る玩具支持台のアーム部において、
前記アーム部が、前記玩具を直接又は間接的に握持・抱持の如き手段で支持することで展示状態を保持する保持部と、前記支持台座に形成されたアーム部用穿孔に嵌合する基軸部を有する取付部と、前記取付部から保持部へと延伸するアーム部本体である腕部と、を有して成り、
前記保持部と腕部との接続部分と、前記取付部と腕部との接続部分の各々に間欠回動可能な関節部が配設されており、
該関節部が、外周面に凹凸が形成された回動軸と、該回動軸が嵌合挿通されると共に内周面に凹凸が形成された軸挿通部と、を有して構成されていることを特徴とする玩具支持台のアーム部。
【００１１】
２．前記腕部の中間部分に、間欠回動可能な関節部が少なくとも１つ配設されており、
該関節部が、外周面に凹凸が形成された回動軸と、該回動軸が嵌合挿通されると共に内周面に凹凸が形成された軸挿通部と、を有して構成されていることを特徴とする上記１に記載の玩具支持台のアーム部。
【００１２】
３．前記保持部が、玩具を握持又は抱持する２本の指状部材から成る保持アーム部と、該２本の指状部材の重合する付け根部に設けられることで該２本の指状部材の拡開動作及び閉鎖動作が可能な開閉関節部と、を有して成り、
該開閉関節部が、外周面に凹凸が形成された回動軸と、前記２本の指状部材の重合する付け根部の各々に形成されて前記回動軸が嵌合挿通されると共に内周面に凹凸が形成された軸挿通部と、を有して構成されていることを特徴とする上記１又は２に記載の玩具支持台のアーム部。
【００１３】
４．前記腕部が、延伸方向に分割接合線を有する２分割体から成る構成を有し、該２分割体の各々の内部の少なくとも一部が空洞であることを特徴とする上記１〜３のいずれかに記載の玩具支持台のアーム部。
【００１４】
５．前記支持台座が、一定肉厚の方形状本体と、該方形状本体の両端部各々に接続された正方形接続部と、を有し、
該正方形接続部の一方は、上面側が除かれ、前記方形状本体の肉厚の半分の肉厚を有する上半截接続部であり、
該正方形接続部の他方は、下面側が除かれ、前記方形状本体の肉厚の半分の肉厚を有する下半截接続部であり、
前記方形状本体には、少なくとも１つのアーム部用穿孔が設けてあり、
前記上半截接続部及び下半截接続部には各１つのアーム部用穿孔が設けてあり、
且つ該上半截接続部のアーム部用穿孔の周囲には凹部又は凸部が設けてあり、該下半截接続部のアーム部用穿孔の周囲には、前記上半截接続部の凹部又は凸部に嵌合する凸部又は凹部が設けてあり、
縦・横いずれの方向にも接続し連結可能とした構成を有することを特徴とする上記１〜４のいずれかに記載の玩具支持台のアーム部。
【００１５】
６．前記支持台座と同梱又は別梱で２種類の転倒防止用補助台座が用意されており、
該２種類の内の一方である第１転倒防止用補助台座は、前記支持台座の上半截接続部に接続可能な第１半截接続部と、該第１半截接続部に連接され該第１半截接続部の側方方向に延伸する第１転倒防止片部と、を有し、
該２種類の内の他方である第２転倒防止用補助台座は、前記支持台座の下半截接続部に接続可能な第２半截接続部と、該第２半截接続部に連接され該第２半截接続部の側方方向に延伸する第２転倒防止片部と、を有し、
前記第１半截接続部には前記上半截接続部のアーム部用穿孔と一致する位置にアーム部用穿孔が設けてあり、
且つ該第１半截接続部のアーム部用穿孔の周囲には、前記上半截接続部の凹部又は凸部に嵌合する凸部又は凹部が設けてあり、
前記第２半截接続部には前記下半截接続部のアーム部用穿孔と一致する位置にアーム部用穿孔が設けてあり、
且つ該第２半截接続部のアーム部用穿孔の周囲には、前記下半截接続部の凸部又は凹部に嵌合する凹部又は凸部が設けてあり、
該２種類の転倒防止用補助台座の少なくとも一方を支持台座に接続した際に該支持台座の側方に転倒防止片部が延びることで該支持台座の転倒を防止する構成であることを特徴とする上記６に記載の玩具支持台のアーム部。
【００１６】
７．前記アーム部が複数用意され、１つ又は複数の支持台座に立設して複数の玩具を飾ることが可能な構成であることを特徴とする上記１〜６のいずれかに記載の玩具支持台のアーム部。
【考案の効果】
【００１７】
請求項１に示す考案によれば、様々なポーズを取る玩具であってもかかるポーズを安定した状態で保持することが可能な玩具支持台のアーム部を提供することができる。
【００１８】
特に、アーム部が間欠動可能な関節部を有する構成であるため、関節部の固定位置の保持力が高い。従って、関節部に掛かる荷重が大きい場合であっても玩具のポーズを保持した状態で安定的に支持することができる。
【００１９】
請求項２に示す考案によれば、保持部の高さを容易に変えることができるので、様々な高さの玩具や保持高さの変更に対応することができる。
【００２０】
請求項３に示す考案によれば、玩具を安定した状態で握持又は保持することができる。
【００２１】
請求項４に示す考案によれば、アーム部本体である腕部の重量軽減と強度向上を同時に図ることができ、合成樹脂で形成した場合には引け等の樹脂成形における変形を著しく抑制することができる。
【００２２】
請求項５に示す考案によれば、支持台座のアーム部を立設するためのアーム部用穿孔が、方形状本体に少なくとも１つ、上半截接続部及び下半截接続部に各１つの少なくとも計３つ設けられているため、必要に応じて１つの支持台座に少なくとも３本のアーム部を立設して少なくとも３つの玩具を飾ることができる。アーム部の立設に際しては、１つのアーム部用穿孔に対して１本のアーム部を立設するため、アーム部の取付部に大きな負荷が掛かることがない。
【００２３】
また、支持台座を縦・横いずれの方向にも複数接続することができるので、展示スペースの広さや形状、支持する玩具の数や大きさに応じて任意の数の支持台座を所望の配置で連結接続して用いることができる。
【００２４】
請求項６に示す考案によれば、転倒防止用補助台座を支持台座に接続することで転倒防止効果がより高くなり、より安定した支持が可能となる。
【００２５】
請求項７に示す考案によれば、飾る玩具の数に応じた数のアーム部を立設することで複数の玩具を飾ることができる。
【図面の簡単な説明】
【００２６】
【図１】本考案に係る玩具支持台のアーム部の一実施例を示す斜視図
【図２】関節部の一例を示す拡散分解斜視図
【図３】保持部の一例を示す拡散分解斜視図
【図４】腕部の一例を示す拡散分解斜視図
【図５】本考案に好ましく用いられる支持台座の一例を示す拡散分解斜視図
【図６】支持台座の接続構成を説明する概略断面図
【図７】支持台座と転倒防止用補助台座の接続例を示す概略平面図
【図８】支持台座と転倒防止用補助台座の接続例を示す概略平面図
【図９】２つの支持台座の接続構成を説明する概略断面図
【図１０】複数の支持台座の接続例を示す概略平面図
【図１１】複数のアーム部を立設した状態の一例を示す概略正面図
【考案を実施するための形態】
【００２７】
次に、添付の図面に従って本考案を詳細に説明する。
【００２８】
本考案に係る玩具支持台のアーム部は、玩具支持台に人形・動物・乗り物類等の玩具を支持状態で飾るためのアーム部である。
【００２９】
アーム部の具体的な構成は図１に示すように、支持台座２に立設して玩具を支持状態で飾る玩具支持台のアーム部１において、
前記アーム部１が、前記玩具を直接又は間接的に握持・抱持の如き手段で支持することで展示状態を保持する保持部１１と、支持台座２に形成されたアーム部用穿孔２３に嵌合する基軸部１２Ａを有する取付部１２と、前記取付部１２から保持部１１へと延伸するアーム部本体である腕部１３と、を有して成り、
前記保持部１１と腕部１３との接続部分と、前記取付部１２と腕部１３との接続部分の各々に間欠回動可能な関節部１４が配設されており、
該関節部１４は、図２に示すように、外周面に凹凸が形成された回動軸１４Ａと、該回動軸１４Ａが嵌合挿通されると共に内周面に凹凸が形成された軸挿通部１４Ｂ・１４Ｃと、を有して構成されている。図１において、符号１４Ｄは回動軸１４Ａの挿通側とは反対側の軸挿通部１４Ｃの孔に嵌合することで該孔を被覆するキャップ体を示し、符号３（３Ａ）・３（３Ｂ）は、支持台座２の安定性をより向上させるための転倒防止用補助台座を示す。
【００３０】
アーム部１は１本構成に限らず関節部１４を介して多数本が連結された複数本である多段節構成であってもよく、本実施例ではアーム部１の本体である腕部１３の中間部分に間欠回動可能な関節部が少なくとも１つ（本実施例では１つ）が配設された２本の腕部１３・１３から成る２段節構成となっている。中間部分に配設される関節部１４についても、他の関節部１４と同様に図２に示す構成と同様の構成を有する。
【００３１】
アーム部１の保持部１１の好ましい構成としては、図１及び図３に示すように、玩具を握持又は抱持する２本の指状部材から成る保持アーム部１１Ａ・１１Ｂと、該２本の指状部材である保持アーム部１１Ａ・１１Ｂの重合する付け根部１１Ｃ・１１Ｄに設けられることで該２本の指状部材の拡開動作及び閉鎖動作が可能な開閉関節部１５と、を有して成り、
該開閉関節部１５は、図３に示すように、外周面に凹凸が形成された回動軸１５Ａと、前記２本の指状部材の重合する付け根部１１Ｃ・１１Ｄの各々に形成されて前記回動軸１５Ａが嵌合挿通されると共に内周面に凹凸が形成された軸挿通部１５Ｂ・１５Ｃと、を有する構成である。
【００３２】
アーム部１は肉厚部材を用いて或いは肉厚に成形することで内部まで同一素材の一体的な成形物構成であってもよいし、或いは、内部は空洞構成や、薄板材等を積層した構成や、木等の粉砕チップ・粉末等に樹脂含浸して硬化させた構成や、内部空洞構成の複数部材を組み合わせた複数部材構成等の構成を有していてもよいが、好ましくは、図４に示すように、アーム部１の本体である腕部１３が、延伸方向に分割接合線を有する２分割体１３Ａ・１３Ｂから成る構成を有し、該２分割体の各々の内部の少なくとも一部が空洞であることである。
【００３３】
図４に示す実施例では、腕部１３の２分割体の一方１３Ａの内部の空洞部分に接合用嵌合凹部１３Ｃが設けられ、２分割体の他方１３Ｂの内部の空洞部分に設けられた接合用嵌合凸部（図示せず）と嵌合することで２分割体の一方１３Ａと他方１３Ｂとが接合する。
【００３４】
アーム部１の材質としては、この種の玩具支持台のアーム部に用いられる材質として公知公用のもの、例えば、各種合成樹脂（例えば、ウレタン樹脂、アクリル樹脂、ＡＢＳ樹脂、ナイロン樹脂、ポリカーボネート樹脂、ポリプロピレン樹脂、スチロール樹脂、ポリ塩化ビニル樹脂、ポリスチレン樹脂、ＦＲＰ樹脂等）、金属（例えば、アルミニウム、ステンレス等）、木（例えば、紫檀、黒檀等）、合成又は天然ゴム、セラミック等を特別の制限なく用いることができ、好ましくは各種合成樹脂である。
【００３５】
本考案に係る玩具支持台のアーム部１に用いられる支持台座２としては、この種の玩具支持台に用いられてアーム部が立設される構成のものであれば公知公用のものを特別の制限なく用いることができる。
【００３６】
以下、本考案に用いられて好ましい支持台座２について説明する。
【００３７】
例えば、図５及び図６に示すように、支持台座２にアーム部１を立設して玩具を飾る玩具支持台であって、
前記支持台座２は、一定肉厚の方形状本体２１と、該方形状本体２１の両端部各々に接続された正方形接続部２２と、を有し、
該正方形接続部２２の一方は、上面側が除かれ、前記方形状本体２１の肉厚の半分の肉厚を有する上半截接続部２２Ａであり、
該正方形接続部２２の他方は、下面側が除かれ、前記方形状本体２１の肉厚の半分の肉厚を有する下半截接続部２２Ｂであり、
前記方形状本体２１には、少なくとも１つ（本実施例では３つ）のアーム部用穿孔２３が設けてあり、
前記上半截接続部２２Ａ及び下半截接続部２２Ｂには各１つのアーム部用穿孔２４・２５が設けてあり、
且つ該上半截接続部２２Ａのアーム部用穿孔２４の周囲には凹部又は凸部２４Ａ（本実施例では凹部）が設けてあり、該下半截接続部２２Ｂのアーム部用穿孔２５の周囲には、前記凹部又は凸部２４Ａに嵌合する凸部又は凹部２５Ａ（本実施例では凸部。図６参照）が設けてあり、
縦・横いずれの方向にも接続し連結可能とした構成を有するものを挙げることができる。
【００３８】
支持台座２には、２種類の転倒防止用補助台座３を接続することで、該支持台座２の安定性をより向上させることで転倒防止効果をより発揮させることができる。
【００３９】
転倒防止用補助台座３は、図５及び図６に示すように、前記支持台座２と同梱又は別梱で２種類の転倒防止用補助台座３が用意されており、
該２種類の内の一方である第１転倒防止用補助台座３Ａは、前記支持台座２の上半截接続部２２Ａに接続可能な第１半截接続部３１Ａと、該第１半截接続部３１Ａに連接され該第１半截接続部３１Ａの側方方向に延伸する第１転倒防止片部３２Ａと、を有し、
該２種類の内の他方である第２転倒防止用補助台座３Ｂは、前記支持台座２の下半截接続部２２Ｂに接続可能な第２半截接続部３１Ｂと、該第２半截接続部３１Ｂに連接され該第２半截接続部３１Ｂの側方方向に延伸する第２転倒防止片部３２Ｂと、を有し、
前記第１半截接続部３１Ａには前記上半截接続部２２Ａのアーム部用穿孔２４と一致する位置にアーム部用穿孔３３が設けてあり、
且つ該第１半截接続部３１Ａのアーム部用穿孔３３の周囲には、前記上半截接続部２２Ａの凹部又は凸部２４Ａ（本実施例では凹部）に嵌合する凸部又は凹部３３Ａ（本実施例では凸部）が設けてあり、
前記第２半截接続部３１Ｂには前記下半截接続部２２Ｂのアーム部用穿孔２５と一致する位置にアーム部用穿孔３４が設けてあり、
且つ該第２半截接続部３１Ｂのアーム部用穿孔３４の周囲には、前記下半截接続部２２Ｂの凸部又は凹部２５Ａ（本実施例では凸部）に嵌合する凹部又は凸部３４Ａ（本実施例では凹部）が設けてあり、
該２種類の転倒防止用補助台座３（３Ａ・３Ｂ）の少なくとも一方（本実施例では両方）を支持台座２に接続した際に該支持台座２の側方に転倒防止片部３２Ａ・３２Ｂが延びることで該支持台座２の転倒を防止する構成を有するものである。
【００４０】
支持台座２に転倒防止用補助台座３を接続する方法について以下説明する。
【００４１】
上半截接続部２２Ａには、２種類の転倒防止用補助台座３の内の一方である第１転倒防止用補助台座３Ａを接続することができる。
【００４２】
この接続は、図６に示すように、上半截接続部２２Ａのアーム部用穿孔２４に第１転倒防止用補助台座３Ａのアーム部用穿孔３３が一致するように、該上半截接続部２２Ａの上面に第１半截接続部３１Ａの下面を合わせるように載せて、アーム部用穿孔２４の周囲に設けられた凹部又は凸部２４Ａ（本実施例では凹部）にアーム部用穿孔３３の周囲に設けられた凸部又は凹部３３Ａ（本実施例では凸部）を嵌合させることで可能となる。
【００４３】
また、下半截接続部２２Ｂには、２種類の転倒防止用補助台座３の内の他方である第２転倒防止用補助台座３Ｂを接続することができる。
【００４４】
この接続は、図６に示すように、下半截接続部２２Ｂのアーム部用穿孔２５に第２転倒防止用補助台座３Ｂのアーム部用穿孔３４が一致するように、第２半截接続部３１Ｂの上面に下半截接続部２２Ｂの下面を合わせるように載せて、アーム部用穿孔２５の周囲に設けられた凸部又は凹部２５Ａ（本実施例では凸部）にアーム部用穿孔３４の周囲に設けられた凹部又は凸部３４Ａ（本実施例では凹部）を嵌合させることで可能となる。
【００４５】
支持台座２及び転倒防止用補助台座３の材質としては、この種の玩具支持台に用いられる材質として公知公用のもの、例えば、各種合成樹脂（例えば、ウレタン樹脂、アクリル樹脂、ＡＢＳ樹脂、ナイロン樹脂、ポリカーボネート樹脂、ポリプロピレン樹脂、スチロール樹脂、ポリ塩化ビニル樹脂、ポリスチレン樹脂、ＦＲＰ樹脂等）、金属（例えば、アルミニウム、ステンレス等）、木（例えば、紫檀、黒檀等）、合成又は天然ゴム、セラミック等を特別の制限なく用いることができる。
【００４６】
また、支持台座２及び転倒防止用補助台座３は、肉厚部材を用いて或いは肉厚に成形することで内部まで同一素材の一体的な成形物構成であってもよいし、或いは、内部は空洞構成や、薄板材等を積層した構成や、木等の粉砕チップ・粉末等に樹脂含浸して硬化させた構成や、内部空洞構成の本体に底板を取付けた複数部材構成等の構成を有していてもよい。
【００４７】
本考案に係るアーム部１を支持台座２に立設するには、図５及び図６に示す支持台座２（及び転倒防止用補助台座３）に設けられたアーム部用穿孔２３・２５（及び／又は３３・３４）の任意の位置にアーム部１の取付部１２の基軸部１２Ａを図１に示すように嵌合挿通させることで立設が可能である。
【００４８】
以上、本考案に係る玩具支持台のアーム部の一実施例について説明したが、本考案は上記実施例に限定されず、本考案の範囲内において種々の他の態様態様を採ることもできる。
【００４９】
例えば、上記実施例では、支持台座２及び転倒防止用補助台座３に形成されたアーム部用穿孔２３・２４・２５・３３・３４の各々は正六角形としたが、本考案はかかる形状に限定されず、他の正多角形や円形であってもよい。
【００５０】
例えば、上記実施例では、転倒防止用補助台座３の転倒防止片部３２Ａ・３２Ｂは、該転倒防止用補助台座３を支持台座２に接続した際に、前記転倒防止片部３２Ａ・３２Ｂが前記支持台座２の側方方向であって且つ外向き方向に延伸する構成としていたが、本考案はかかる構成に限定されず、図７に示すように、前記転倒防止片部３２Ａ・３２Ｂが前記支持台座２の側方方向であって且つ内向き方向に延伸する構成とすることもできる。
【００５１】
また、上記実施例では、１つの支持台座２に２つの転倒防止用補助台座３を接続した構成としていたが、本考案はかかる構成に限定されず、複数の支持台座２を連結接続することもできる。
【００５２】
例えば、図８は２つの支持台座２を縦方向に連結接続した場合の一例を示す。支持台座２同士を連結接続する場合、図９に示すように、１つ目の支持台座２の上半截接続部２２Ａに、２つ目の支持台座２の下半截接続部２２Ｂを接続することで連結接続が可能となる。
【００５３】
図１０は４つの支持台座２を横方向（直角方向）に連結接続した場合の一例を示す。この接続の場合、１つ目の支持台座２の上半截接続部２２Ａに２つ目の支持台座２の下半截接続部２２Ｂを横方向（直角方向）に接続し、２つ目の支持台座２の上半截接続部２２Ａに３つ目の支持台座２の下半截接続部２２Ｂを横方向（直角方向）に接続し、３つ目の支持台座２の上半截接続部２２Ａに４つ目の支持台座２の下半截接続部２２Ｂを横方向（直角方向）に接続し、４つ目の支持台座２の上半截接続部２２Ａに１つ目の支持台座２の下半截接続部２２Ｂを横方向（直角方向）に接続することでロ字状に連結接続した構成となる。
【００５４】
複数の支持台座２を連結接続する場合、縦方向と横方向への接続を混在させたり、横方向であっても接続の度に向きを変えてジグザグ状に接続させたり、コレクションケース等の展示スペースの状況や使用者の嗜好等の各種条件に応じて種々の配置構成で連結接続することが可能となる。
【００５５】
更に、上記実施例では１本のアーム部１を立設した構成としていたが、本考案はかかる構成に限定されず、飾る玩具の大きさや形状・数、コレクションケース等の展示スペースの状況や使用者の嗜好等の各種条件に応じて、アーム部１を１つ又は複数の支持台座２に立設して複数の玩具を飾る構成とすることもできる。
【００５６】
例えば、図１１は１つの支持台座２に３本のアーム部１を立設した構成の一例を示す。
【符号の説明】
【００５７】
１  アーム部
１１  保持部
１１Ａ  保持アーム部
１１Ｂ  保持アーム部
１１Ｃ  付け根部
１１Ｄ  付け根部
１２  取付部
１２Ａ  基軸部
１３  腕部
１３Ａ  ２分割体の一方
１３Ｂ  ２分割体の他方
１３Ｃ  接合用嵌合凹部１３Ｃ
１４  関節部
１４Ａ  回動軸
１４Ｂ  軸挿通部
１４Ｃ  軸挿通部
１４Ｄ  キャップ体
１５  開閉関節部
１５Ａ  回動軸
１５Ｂ  軸挿通部
１５Ｃ  軸挿通部
２  支持台座
２１  方形状本体
２２  正方形接続部
２２Ａ  上半截接続部
２２Ｂ  下半截接続部
２３  アーム部用穿孔
２４  アーム部用穿孔
２４Ａ  凹部又は凸部
２５  アーム部用穿孔
２５Ａ  凸部又は凹部
３  転倒防止用補助台座
３Ａ  第１転倒防止用補助台座
３１Ａ  第１半截接続部
３２Ａ  第１転倒防止片部
３Ｂ  第２転倒防止用補助台座
３１Ｂ  第２半截接続部
３２Ｂ  第２転倒防止片部
３３  アーム部用穿孔
３３Ａ  凸部又は凹部
３４  アーム部用穿孔
３４Ａ  凹部又は凸部
【図１】
0003154322.tif 000003
【図２】
0003154322.tif 000004
【図３】
0003154322.tif 000005
【図４】
0003154322.tif 000006
【図５】
0003154322.tif 000007
【図６】
0003154322.tif 000008
【図７】
0003154322.tif 000009
【図８】
0003154322.tif 000010
【図９】
0003154322.tif 000011
【図１０】
0003154322.tif 000012
【図１１】
0003154322.tif 000013